(57)【特許請求の範囲】
【請求項１】
第１側の光ケーブルから延び出る多心光ファイバを光コネクタ接続により、第２側の光ケーブルから延び出る単心光ファイバへ分岐接続させるために、第１側の光ケーブルと第２側の光ケーブルとの結線上に光分岐モジュールを配置させ、前記光分岐モジュールを、枠体内で並設させて光分岐モジュール群として構成させた光成端架において、
前記光分岐モジュールから導出させた光ファイバコードと前記第１側の光ケーブルから延び出る前記多心光ファイバとを光コネクタを介して接続させ、前記光コネクタを収容すると同時に、前記光コネクタから延びる前記光ファイバコードと前記多心光ファイバとの余長をも収容する余長収容トレーを、前記枠体内で前記光分岐モジュール群の上方又は下方に配置し、前記余長収容トレーは、引出し手段を介して前記枠体内で取付けられ、
前記余長収容トレー内には、仕切片により形成した前記光ファイバコード用の第１の余長経路と前記多心光ファイバ用の第２の余長経路とが設けられ、
前記余長収容トレー内には、複数の前記光コネクタを並設させて収容する光コネクタ収容部を有し、前記第１の余長経路のコード排出口に、前記光コネクタ収容部の一端側に位置するＲ形状のガイド部を配置させ、
前記余長収容トレーの前部には、前記枠体内における前記各光分岐モジュールの位置に対応して一列に整列させた光ファイバ挿入溝が形成され、前記余長収容トレー内には、前記光コネクタ収容部が前記光ファイバ挿入溝の配列方向に対して平行に延在し、前記第１の余長経路は、前記光ファイバ挿入溝の一方の整列端側に位置するコード導入口から前記光コネクタ収容部の後方側を這い回されて、前記光ファイバ挿入溝の他方の整列端側に位置する前記コード排出口に向けて延在することを特徴とする光成端架。
【請求項２】
前記第２の余長経路の多心光ファイバ排出口に、前記光コネクタ収容部の他端側に位置するＲ形状のガイド部を配置させたことを特徴とする請求項１記載の光成端架。
【請求項３】
前記引出し手段は、引き出された前記余長収容トレーの前端が下方に向けて回転するように、前記余長収容トレーと前記枠体との間に設けられていることを特徴とする請求項１又は２記載の光成端架。
【発明の詳細な説明】
【０００１】
【発明の属する技術分野】
本発明は、光ファイバネットワークにおいて、一側（例えば加入者側）の光ケーブルと他側（例えば局側）の光ケーブルとの光コネクタ接続に利用するための光成端架に関するものである。
【０００２】
【従来の技術】
従来、このような分野の技術として、特開平９−５５３３号公報がある。この公報に記載された光成端架の上段側には、多数の光分岐モジュールを並設させた状態で配置させ、この下段側には、各光分岐モジュールから排出させた光ファイバコードと光ケーブルから延びる光ファイバとの光接続に利用するＭＴコネクタを収容するための光コネクタ収容ケースが配置されている。そして、ボックス状の光コネクタ収容ケース内には、多数のＭＴコネクタが段積みされた状態で収容され、しかも、光コネクタ収容ケース内で、多数の光ファイバコード及び光ケーブル側光ファイバがループ状に巻かれるようにして余長収容されている。従って、このようなボックス状光コネクタ収容ケースを利用すると、ＭＴコネクタの接続切替を行う際、所望のＭＴコネクタを簡単に取り出すことができ、しかも、ケース内に光ファイバの余長を形成することもでき、ＭＴコネクタの接続切替作業を効率よく、確実に行うことができる。
【０００３】
【発明が解決しようとする課題】
しかしながら、前述した従来の光成端架には、次のような課題が存在していた。すなわち、光成端架内に配置させた光分岐モジュールは、引出し自在に構成されているが、光コネクタ収容ケースは、光成端架内で据え付け固定させた状態になっている。よって、光コネクタ収容ケースから所望のＭＴコネクタを取り出すことを考慮し、ケースの上方に作業者の手が入る程度の作業空間が必要となり、光分岐モジュールと光コネクタ収容ケースとを離して配置させる必要があり、その結果、架内の空間利用効率が悪化する。このことは、光分岐モジュールと光コネクタ収容ケースとを架内で多段構造にする際、光成端架が大型化するといった問題点があった。
【０００４】
本発明は、上述の課題を解決するためになされたもので、特に、光コネクタの取り出しの容易化を図りつつ、余長収容トレーの設置スペースの効率化をも図った光成端架を提供することを目的とする。
【０００５】
【課題を解決するための手段】
請求項１に係る本発明の光成端架は、第１側の光ケーブルから延び出る多心光ファイバを光コネクタ接続により、第２側の光ケーブルから延び出る単心光ファイバへ分岐接続させるために、第１側の光ケーブルと第２側の光ケーブルとの結線上に光分岐モジュールを配置させ、光分岐モジュールを、枠体内で並設させて光分岐モジュール群として構成させた光成端架において、
光分岐モジュールから導出させた光ファイバコードと第１側の光ケーブルから延び出る多心光ファイバとを光コネクタを介して接続させ、光コネクタを収容すると同時に、光コネクタから延びる光ファイバコードと多心光ファイバとの余長をも収容する余長収容トレーを、枠体内で光分岐モジュール群の上方又は下方に配置し、余長収容トレーは、引出し手段を介して枠体内で取付けられ、
余長収容トレー内には、仕切片により形成した光ファイバコード用の第１の余長経路と多心光ファイバ用の第２の余長経路とが設けられ、
余長収容トレー内には、複数の光コネクタを並設させて収容する光コネクタ収容部を有し、第１の余長経路のコード排出口に、光コネクタ収容部の一端側に位置するＲ形状のガイド部を配置させ、
余長収容トレーの前部には、枠体内における各光分岐モジュールの位置に対応して一列に整列させた光ファイバ挿入溝が形成され、余長収容トレー内には、光コネクタ収容部が光ファイバ挿入溝の配列方向に対して平行に延在し、第１の余長経路は、光ファイバ挿入溝の一方の整列端側に位置するコード導入口から光コネクタ収容部の後方側を這い回されて、光ファイバ挿入溝の他方の整列端側に位置するコード排出口に向けて延在することを特徴とする。
【０００６】
この光成端架においては、枠体内で光分岐モジュールを並設させており、各光分岐モジュールからは光ファイバコードが導出され、各光ファイバコードは余長収容トレー内に導かれ、余長収容トレー内には、第１側の光ケーブルから延び出た多心光ファイバも導かれている。更に、各余長収容トレー内には、光ファイバコードと多心光ファイバとをそれぞれ連結させるための光コネクタが収容されている。このような余長収容トレーは、光分岐モジュールの上方又は下方のいずれかに配置されることになるが、光分岐モジュールと余長収容トレーとを接近させても、余長収容トレーを引き出すようにしているため、余長収容トレー内の光コネクタを外部に簡単に取り出すことができる。このことは、光コネクタの接続切替作業の容易化及び作業効率の向上を達成するものであり、余長収容トレーの設置スペースの効率化を図る上で有効な手段となる。特に、前述した構成は、光分岐モジュールと余長収容トレーとを多段に積み上げるような光成端架に有益である。
【０００７】
さらに、余長収容トレー内には、仕切片により形成した光ファイバコード用の第１の余長経路と、多心光ファイバ用の第２の余長経路とが設けられていると好ましい。このような構成を採用した場合、各余長経路が仕切片により形成される結果、光ファイバコードと多心光ファイバとが適切に分離収容されて、別経路上で引き回され、余長収容トレー内での混線防止に寄与する。従って、余長収容トレーから光コネクタを取り出す際や、余長収容トレー内に光コネクタを戻す際の作業性の向上に寄与する。
【０００８】
さらに、余長収容トレー内には、複数の光コネクタを並設させて収容する光コネクタ収容部を有し、第１の余長経路のコード排出口に、光コネクタ収容部の一端側に位置するＲ形状のガイド部を配置させると好ましい。このような構成を採用した場合、光コネクタを光コネクタ収容部に装填させた状態において、第１の余長経路から排出させた光ファイバコードの曲げ半径を、光コネクタ収容部の端部近傍で、Ｒ形状のガイド部によって確保することができる。従って、コード排出口から導出させた光ファイバコードを、コード排出口近くの光ファイバ収容部に導く場合でも、光ファイバの安定した曲げ形状の確保が図られることになる。
【０００９】
さらに、余長収容トレーの前部には、枠体内における各光分岐モジュールの位置に対応して一列に整列させた光ファイバ挿入溝が形成され、余長収容トレー内には、光コネクタ収容部が光ファイバ挿入溝の配列方向に対して平行に延在し、第１の余長経路は、光ファイバ挿入溝の一方の整列端側に位置するコード導入口から光コネクタ収容部の後方側を這い回されて、光ファイバ挿入溝の他方の整列端側に位置するコード排出口に向けて延在すると好ましい。このような構成を採用した場合、各光ファイバ挿入溝に各光ファイバコードを挿入させることにより、余長収容トレーの前部で光ファイバコードの途中を一本ずつ整列させることができる。また、コード導入口から最も離れた光ファイバ挿入溝に差し入れられた光ファイバコードから順に、光ファイバコードの光コネクタを、コード排出口に最も近い光コネクタ収容部の端から順次配置させることが可能となる。すなわち、コード排出口に近い光ファイバ挿入溝に差し入れられた光ファイバコードから順に、各光コネクタは、光コネクタ収容部のコード排出口に近い側から順次収容させると、各光分岐モジュールから延び出たそれぞれの光ファイバコードの長さを揃えた場合でも、各光ファイバコードを余長収容トレー内に無理なく収容することができる。そして、光分岐モジュールから導出させる光ファイバコードの長さが揃えられる結果、光成端架内で採用される多数の光分岐モジュールの画一化が達成され、光成端架に各光分岐モジュールを組付ける作業が極めて簡単になる。
【００１０】
請求項２記載の光成端架に関し、第２の余長経路の多心光ファイバ排出口に、光コネクタ収容部の他端側に位置するＲ形状のガイド部を配置させると好ましい。このような構成を採用した場合、光コネクタを光コネクタ収容部に装填させた状態において、第２の余長経路から排出させた多心光ファイバの曲げ半径を、光コネクタ収容部の端部近傍で、Ｒ形状のガイド部によって確保することができる。従って、テープ排出口から導出させた多心光ファイバを、テープ排出口近くの光ファイバ収容部に導く場合でも、光ファイバの安定した曲げ形状の確保が図られることになる。
【００１１】
請求項３記載の光成端架に関し、引出し手段は、引き出された余長収容トレーの前端が下方に向けて回転するように、余長収容トレーと枠体との間に設けられていると好ましい。このような構成を採用した場合、余長収容トレーを引き出す際、その前端が下方に向けて回転する結果、余長収容トレーの上面を作業者側に向けることができ、余長収容トレー内に収容した光コネクタへのアクセスが容易になる。
【００１２】
【発明の実施の形態】
以下、図面と共に本発明による光成端架の好適な実施形態について詳細に説明する。
【００１３】
図１は、本発明に係る光成端架を示す正面図である。同図に示された光成端架１は、光配線モジュール（ＦＴＭ）と呼ばれるものであり、この光成端架１は、加入者側（第１側）の光ケーブル２から導出させた多数の多心光ファイバ（以下「テープファイバ」という）３と、局側（第２側）の光ケーブル４から導出させた多数の単心光ファイバ５とを、それぞれ対応させて接続させるためのものである。
【００１４】
この光成端架１の枠体（キャビネット）６には、図１及び図２に示すように、内部にカプラ７等を収容した光分岐モジュール８が配置され、光分岐モジュール８は、棚９ａ上で横一列に並べられるようにして光分岐モジュール群１０を構成する。また、各光分岐モジュール８は、棚９ａ上に例えば５０本並べられ、ガイドレール（図示せず）を介して枠体６内で引出し自在に収容されている。光分岐モジュール群１０の下方には、棚９ｃ上に光スイッチ（心線選択手段）Ｓが設置され、カプラ７に接続させた分岐心線Ｇを光スイッチＳ内に導いている。なお、この光スイッチＳは、ＯＴＤＲ等の測定機器Ｋに接続される。
【００１５】
図２に示すように、各光分岐モジュール８の後端部８ｂには、光ケーブル４の各単心光ファイバ５の先端に設けられた光コネクタ１１を差し込むためのコネクタ差込み部Ｃが設けれている。各光分岐モジュール８は、コネクタ差込み部Ｃから延びる単心の光ファイバコード１２を４本有し、各光ファイバコード１２は、光分岐モジュール８内を通って前端部８ａから外部に導出する。そして、光分岐モジュール８から導出させた各光ファイバコード１２は、一括した状態で第１の光コネクタ（ＭＴコネクタ）１３に取付けられている。よって、一本の光分岐モジュール８は、一個の光コネクタ１３を有することになり、前述した光分岐モジュール群１０においては、光分岐モジュール８の個数（例えば５０本）に対応する第１の光コネクタ１３が存在することになる。
【００１６】
また、各第１の光コネクタ１３は、加入者側の光ケーブル２のテープファイバ３の先端に設けられた各第２の光コネクタ（ＭＴコネクタ）１４に対して、図示しないガイドピンを介して接続される。なお、第１の光コネクタ１３と第２の光コネクタ１４との光接続を、光分岐モジュール８の外部で行うように構成した理由は、光コネクタ１３，１４同士の接続切替作業の簡易化と、接続切替作業時において、光分岐モジュール８内のカプラ７等に触れないようにして、光分岐モジュール８内の部品の損傷を回避させるためである。
【００１７】
このように、第１の光コネクタ１３と第２の光コネクタ１４とからなる光接続ユニット１５が、光分岐モジュール８の外部にあるため、光成端架１の枠体６内には、多数の光コネクタ１３，１４を一括収容するための余長収容トレー１６を設置させている。この余長収容トレー１６は、図１及び図３に示すように、棚９ｂ上で光分岐モジュール群１０の上方に設置されている。そして、余長収容トレー１６内で、多数（例えば５０組）の光接続ユニット１５は横一列に並べられている。また、余長収容トレー１６は、光コネクタ１３，１４を収容することは勿論のこと、光コネクタ１３から延びる光ファイバコード１２と光コネクタ１４から延びるテープファイバ３との余長を収容するものである。
【００１８】
図３及び図４に示すように、余長収容トレー１６の前端部には、枠体６内における各光分岐モジュール８の配列方向に対応して、一列に整列させた光ファイバ引掛け片１８が設けられている。そして、隣接する光ファイバ引掛け片１８の間に形成した光ファイバ挿入溝１９は、各光分岐モジュール８に一対一で対応するように整列させている。また、余長収容トレー１６の底板１６Ａ上には、光ファイバコード１２の余長を確保するための第１の余長経路Ｐと、テープファイバ３の余長を確保するための第２の余長経路Ｑとが設けられている。更に、余長収容トレー１６の底板１６Ａ上には、各光ファイバコード１２の光コネクタ１３及び各テープファイバ３の光コネクタ１４を整列配置させるためのボックス状の光コネクタ収容部２０が設けられ、この光コネクタ収容部２０は、光ファイバ挿入溝１９の配列方向に対し平行に延在する。そして、余長収容トレー１６の上面は開放されているが、蓋があってもよい。
【００１９】
また、余長収容トレー１６の底板１６Ａ上において、第１の余長経路Ｐは、光ファイバ挿入溝１９の整列方向における一端側に位置するコード導入口２２から、光コネクタ収容部２０の後方側を通り、光ファイバ挿入溝１９の整列方向における他端側に位置するコード排出口２３まで延在する。そして、コード排出口２３は、光コネクタ収容部２０の前方に形成させたコード収容空間Ａに臨ませている。この場合の余長経路Ｐは、余長収容トレー１６の底板１６Ａの輪郭に沿って延在する外側の仕切片２４と、外側の仕切片２４から所定間隔だけ離させて延在する内側の仕切片２５との間に形成され、コード導入口２２からコード排出口２３にかけて、底板１６Ａ上で略Ｕ字形状をなしている。そして、余長収容トレー１６の底板１６Ａ上において、コード排出口２３には、光コネクタ収容部２０の一端側に位置するＲ形状のガイド部２６が設けられている。このガイド部２６の半径を３０ｍｍ以上にすることで、光ファイバコード１２の最小曲げ半径が確保されることになる。
【００２０】
このような構成を採用した場合、コード導入口２２から最も離れた光ファイバ挿入溝１９に挿入させた光ファイバコード１２Ａは、光ファイバ挿入溝１９の後方でその配列方向に平行に延在する仕切片２７に沿ってコード導入口２２まで導かれる。そして、光ファイバコード１２Ａは、第１の余長経路Ｐに沿ってコード排出口２３まで引き回された後、ガイド部２６に沿わせるようにして、コード排出口２３に最も近い光コネクタ収容部２０の端に導かれる。そして、光ファイバコード１２Ａの光コネクタ１３Ａを、コード排出口２３側の光コネクタ収容部２０の端に実装させる。
【００２１】
これに対して、コード導入口２２に最も近い光ファイバ挿入溝１９に挿入させた光ファイバコード１２Ｂはコード導入口２２まで最短で導かれる。そして、光ファイバコード１２Ｂは、第１の余長経路Ｐに沿ってコード排出口２３まで引き回された後、ガイド部２６に沿わせるようにして、コード排出口２３から最も遠い光コネクタ収容部２０の端に導かれる。そして、光ファイバコード１２Ｂの光コネクタ１３Ｂは、コード導入口２２側の光コネクタ収容部２０の端に実装される。
【００２２】
すなわち、各光分岐モジュール８から導出させる光ファイバコード１２の長さを揃えた場合、光ファイバ挿入溝１９に差し込まれた各光ファイバコード１２の光コネクタ１３は、コード導入口２２から遠い順に、光コネクタ収容部２０のコード排出口２３側の端から順次並べられる。よって、画一的な長さをもつ各光ファイバコード１２を無理なく余長収容トレー１６内に収容することができる。そして、光分岐モジュール８から導出させる光ファイバコード１２の長さが揃えられる結果、光成端架１内で採用される多数の光分岐モジュール８の全てを画一化することができ、光成端架１に光分岐モジュール８を組付ける際の作業効率がアップする。
【００２３】
また、テープファイバ３の余長を確保するための第２の余長経路Ｑは、光ファイバ挿入溝１９の整列方向における一端側でコード導入口２２に対向して設けられたテープ導入口２８と、コード排出口２３に対向して、光ファイバ挿入溝１９の整列方向における他端側に位置するテープ排出口（多心光ファイバ排出口）２９と間で、略Ｌ字形状をなして延在する。このテープ排出口２９は、光コネクタ収容部２０の後方に形成させたテープ収容空間Ｂに臨ませ、第２の余長経路Ｑのテープ排出口２９には、光コネクタ収容部２０の他端側に位置するＲ形状のガイド部３０が設けられている。
【００２４】
このガイド部３０の半径を３０ｍｍ以上にすることで、テープファイバ３の最小曲げ半径が確保されることになる。そして、余長経路Ｑは、前述した仕切片２７と、この仕切片２７に対して平行に延在しながらＬ字形に曲げられた仕切片３１とによって作り出されている。そして、各テープファイバ３に設けられた光コネクタ１４を、光コネクタ収容部２０内に収容させた場合、各テープファイバ３は、第２の余長経路Ｑ内を引き回されて、外部に排出される。
【００２５】
ここで、図５及び図６に示すように、余長収容トレー１６と枠体６との間には、光コネクタ１３と１４との接続切替作業の効率化を図るようした引出し手段３３が設けられている。この引出し手段３３は、余長収容トレー１６の両側面１６ａから突出して水平方向に延在する左右一対のスライダー３４と、このスライダー３４を上下から挟むように枠体６から突出させて水平方向に延在する左右一対のガイドレール３５とからなる。従って、余長収容トレー１６は、スライダー３４とガイドレール３５との協働により水平方向に引き出されることになる。このように、余長収容トレー１６が作業者側に引き出される結果、余長収容トレー１６の開放端側から光コネクタ１３，１４へのアクセスが容易になる。
【００２６】
また、他の引出し手段３７は、図７に示すように、余長収容トレー１６を引き出した状態で、その前端を下方に向けて回転させる構成を有し、余長収容トレー１６の立て掛け配置を可能にする。具体的に、引出し手段３７は、図８及び図９に示すように、余長収容トレー１６の両側面１６ａに設けられた左右一対のローラ３８と、このローラ３８を上下から挟むように水平方向に延在させて枠体６に固定した左右一対のガイドレール３９とからなる。更に、ローラ３８は、前部ローラ３８ａと中間ローラ３８ｂと後部ローラ３８ｃとからなり、それぞれのローラ３８ａ，３８ｂ，３８ｃはガイドレール３９に沿って水平方向に配列され、ガイドレール３９は、上側のガイドレール３９ａと下側のガイドレール３９ｂとからなり、上下のガイドレール３９ａ，３９ｂの間をローラ３８が移動する。
【００２７】
そして、下側のガイドレール３９ｂにおいて、その前端部には、中間ローラ３８ｂの落下を可能にするドロップ穴４０が設けられ、このドロップ穴４０の後方には、後部ローラ３８ｃを受け入れて後部ローラ３８ｃのの回転を支持するための軸受け部４１が設けられている。この軸受け部４１は、半円筒形状をなして、後部ローラ３８ｃの受け皿として機能する。また、上側及び下側のガイドレール３９ａ，３９ｂの先端には、内側に向けて突出するストッパ片４２ａ，４２ｂがそれぞれ設けられ、ストッパ片４２ａとストッパ片４２ｂとの間には、前部ローラ３８ａの通過を許容するローラ出入口４３が設けられている。従って、ストッパ片４２ａと４２ｂとからなる前端ストッパ４２によって、前部ローラ３８ａは、ガイドレール３９から飛び出しにくくなっており、余長収容トレー１６の抜け落ち防止に寄与する。なお、符号５０は後端ストッパである。
【００２８】
そこで、図１０及び図１１に示すように、余長収容トレー１６を手前に引き出すと、各ローラ３８がガイドレール３９に沿って移動しながら、ローラ出入口４３から前部ローラ３８ａが飛び出す。続いて、ドロップ穴４０から中間ローラ３８ｂが落ち出ると同時に、後部ローラ３８ｃが軸受け部４１内に落ち込む。その結果、後部ローラ３８ｃを回転軸として余長収容トレー１６が回転し、図７に示すように、余長収容トレー１６の開放上面を作業者側に向けるような立て掛け配置が達成される。
【００２９】
本発明に係る光成端架は、前述した実施形態に限定されるものではなく、余長収容トレー１６を光分岐モジュール群１０の下方に配置させてよく、この場合に、余長収容トレー１６は引出し自在に構成される結果、余長収容トレー１６を、光分岐モジュール群１０に近接配置させることが可能になる。
【００３０】
【発明の効果】
本発明による光成端架は、以上のように構成されているため、次のような効果を得る。すなわち、第１側の光ケーブルから延び出る多心光ファイバを光コネクタ接続により、第２側の光ケーブルから延び出る単心光ファイバへ分岐接続させるために、第１側の光ケーブルと第２側の光ケーブルとの結線上に光分岐モジュールを配置させ、光分岐モジュールを、枠体内で並設させて光分岐モジュール群として構成させた光成端架において、
光分岐モジュールから導出させた光ファイバコードと第１側の光ケーブルから延び出る多心光ファイバとを光コネクタを介して接続させ、光コネクタを収容すると同時に、光コネクタから延びる光ファイバコードと多心光ファイバとの余長をも収容する余長収容トレーを、枠体内で光分岐モジュール群の上方又は下方に配置し、余長収容トレーは、引出し手段を介して枠体内で取付けられ、
余長収容トレー内には、仕切片により形成した光ファイバコード用の第１の余長経路と多心光ファイバ用の第２の余長経路とが設けられ、
余長収容トレー内には、複数の光コネクタを並設させて収容する光コネクタ収容部を有し、第１の余長経路のコード排出口に、光コネクタ収容部の一端側に位置するＲ形状のガイド部を配置させ、
余長収容トレーの前部には、枠体内における各光分岐モジュールの位置に対応して一列に整列させた光ファイバ挿入溝が形成され、余長収容トレー内には、光コネクタ収容部が光ファイバ挿入溝の配列方向に対して平行に延在し、第１の余長経路は、光ファイバ挿入溝の一方の整列端側に位置するコード導入口から光コネクタ収容部の後方側を這い回されて、光ファイバ挿入溝の他方の整列端側に位置するコード排出口に向けて延在するので、光コネクタの取り出しの容易化を可能にしつつ、余長収容トレーの設置スペースの効率化を可能にする。
【図面の簡単な説明】
【図１】本発明に係る光成端架の一実施形態を示す正面図である。
【図２】図１に示した光成端架内での結線状態を示す概略図である。
【図３】余長収容トレーと光分岐モジュール群と光スイッチとの三者を一ユニットとして、枠体内で縦積み配置させた状態を示す斜視図である。
【図４】余長収容トレーを示す平面図である。
【図５】余長収容トレーを水平方向に引き出した状態を示す側面図である。
【図６】引出し手段の第１の変形例を示す要部拡大図である。
【図７】余長収容トレーを斜めに立て掛けた状態を示す側面図である。
【図８】引出し手段の第２の変形例を示す斜視図である。
【図９】図８の要部拡大側面図である。
【図１０】図８に示された余長収容トレーを引き出した状態を示す斜視図である。
【図１１】図９に示された余長収容トレーが水平状態から斜めに傾けられるときの状態を示す要部拡大側面図である。
【符号の説明】
Ｐ…第１の余長経路、Ｑ…第２の余長経路、１…光成端架、２…第１側の光ケーブル、３…テープファイバ（多心光ファイバ）、４…第２側の光ケーブル、５…単心光ファイバ、６…枠体、８…光分岐モジュール、１０…光分岐モジュール群、１２…光ファイバコード、１３，１４…光コネクタ、１６…余長収容トレー、１９…光ファイバ挿入溝、２０…光コネクタ収容部、２２…コード導入口、２３…コード排出口、２４，２５，２７，３１…仕切片、２６，３０…ガイド部、２９…テープ排出口（多心光ファイバ排出口）、３３，３７…引出し手段。
【図１】
0004026244.tif 000002
【図２】
0004026244.tif 000003
【図３】
0004026244.tif 000004
【図４】
0004026244.tif 000005
【図５】
0004026244.tif 000006
【図６】
0004026244.tif 000007
【図７】
0004026244.tif 000008
【図８】
0004026244.tif 000009
【図９】
0004026244.tif 000010
【図１０】
0004026244.tif 000011
【図１１】
0004026244.tif 000012